(57)【要約】【課題】外刃が肌に追従して円滑に移動できると共に、髭を捕らえる性能を向上させることができ、且つ、深剃りとなって皮膚を傷めてしまうことが防止できるロータリー式電気かみそりを提供する。【解決手段】本発明に係るロータリー式電気かみそり１は、複数の髭進入口２７が形成された環状髭剃り面２２Ａ、２２Ｂを上面２２ａに有する外刃２２と、前記外刃２２の下面２２ｂに前記環状髭剃り面２２Ａ、２２Ｂの下方から摺接しつつ回転する小刃４２Ａを持つ内刃４２とを有するロータリー式電気かみそりであって、前記複数の髭進入口２７のうちの少なくとも一部は、前記環状髭剃り面２２Ａ、２２Ｂの径方向に沿った長孔状に形成され、且つ、径方向の端部２７ａ（もしくは、２７ａおよび２７ｂ）において中央部２７ｃよりも周方向に広く開口する幅広部２７ｘ（もしくは、２７ｘおよび２７ｙ）を有する。【選択図】図６
2016067589.tif 000002
【特許請求の範囲】
【請求項１】
複数の髭進入口が形成された環状髭剃り面を上面に有する外刃と、前記外刃の下面に前記環状髭剃り面の下方から摺接しつつ回転する小刃を持つ内刃とを有するロータリー式電気かみそりであって、
前記複数の髭進入口のうちの少なくとも一部は、前記環状髭剃り面の径方向に沿った長孔状に形成され、且つ、径方向の両端部もしくは一端部が中央部よりも周方向に広く開口する幅広部を有すること
を特徴とするロータリー式電気かみそり。
【請求項２】
前記幅広部は、前記外刃の上面から側面に亘って形成されていること
を特徴とする請求項１記載のロータリー式電気かみそり。
【請求項３】
前記幅広部は、前記外刃の上面における形状が、径方向の中央部から端部に向かうにつれて周方向の開口幅が徐々に広くなるように形成されていること
を特徴とする請求項２記載のロータリー式電気かみそり。
【請求項４】
前記幅広部は、前記外刃の側面に形成されていること
を特徴とする請求項１記載のロータリー式電気かみそり。
【請求項５】
前記幅広部は、前記外刃の上面に形成されていること
を特徴とする請求項１記載のロータリー式電気かみそり。
【請求項６】
前記長孔状の髭進入口は、長辺部の形状が、直線状、または、全体もしくは一部が曲線状に形成されていること
を特徴とする請求項１〜５のいずれか一項に記載のロータリー式電気かみそり。
【発明の詳細な説明】
【技術分野】
【０００１】
本発明は、ロータリー式電気かみそりに関する。
【背景技術】
【０００２】
例えば、複数の髭進入口が形成された環状髭剃り面を上面に有する外刃と、外刃の下面に環状髭剃り面の下方から摺接しつつ回転する小刃を持つ内刃とを備えて、髭進入口に進入した髭を切断するロータリー式電気かみそりが知られている（特許文献１参照）。
【先行技術文献】
【特許文献】
【０００３】
【特許文献１】特表２００６−５１０４３０号公報
【発明の概要】
【発明が解決しようとする課題】
【０００４】
従来より、ロータリー式電気かみそりにおいては、特に、（ａ）外刃が肌の細かい凹凸に追従しながら円滑に移動できること、（ｂ）使用者ごとに異なる髭の特性に対応して髭を確実に捕らえて剃り残しが防止できること、（ｃ）外刃を皮膚に強く押し付けた場合に深剃りとなって皮膚を傷めてしまうことが防止できること、が重要な課題となる。
【０００５】
例えば、特許文献１に示されるロータリー式電気かみそりのように、外刃髭剃り面の周方向の一部領域に隆線を設ける構成によれば、皮膚の接触圧を減らして皮膚を保護することができるが、その一方で、髭剃り性能が低下してしまう問題が生じ得る。このように、上記（ａ）〜（ｃ）の課題はそれぞれを単独で解決することは比較的容易であるものの、全ての課題を同時に解決することは相反する要素が含まれるため、非常に高度な技術が要求される。
【０００６】
本発明は、上記事情に鑑みてなされ、外刃が肌に追従して円滑に移動できると共に、髭を捕らえる性能を向上させることができ、且つ、深剃りとなって皮膚を傷めてしまうことが防止できるロータリー式電気かみそりを提供することを目的とする。
【課題を解決するための手段】
【０００７】
一実施形態として、以下に開示するような解決手段により、前記課題を解決する。
【０００８】
開示のロータリー式電気かみそりは、複数の髭進入口が形成された環状髭剃り面を上面に有する外刃と、前記外刃の下面に前記環状髭剃り面の下方から摺接しつつ回転する小刃を持つ内刃とを有するロータリー式電気かみそりであって、前記複数の髭進入口のうちの少なくとも一部は、前記環状髭剃り面の径方向に沿った長孔状に形成され、且つ、径方向の両端部もしくは一端部が中央部よりも周方向に広く開口する幅広部を有することを特徴とする。
【発明の効果】
【０００９】
開示のロータリー式電気かみそりによれば、外刃が肌に追従して円滑に移動できると共に、髭を捕らえる性能を向上させることができ、且つ、深剃りとなって皮膚を傷めてしまうことが防止できる。
【図面の簡単な説明】
【００１０】
【図１】本発明の実施形態に係るロータリー式電気かみそりの例を示す概略図（斜視図）である。
【図２】図１に示すロータリー式電気かみそりのヘッド部の例を示す概略図（分解斜視図）である。
【図３】図１に示すロータリー式電気かみそりの内刃の例を示す概略図（斜視図）である。
【図４】図１に示すロータリー式電気かみそりの内刃の小刃および外刃の一部を示す概略図である。
【図５】図１に示すロータリー式電気かみそりの外刃の例を示す概略図（平面図）である。
【図６】図５に示す外刃の部分拡大図である。
【図７】図５に示す外刃の斜視図である。
【図８】図７に示す外刃の部分拡大図である。
【図９】図５に示す外刃の断面図である。
【発明を実施するための形態】
【００１１】
以下、図面を参照して、本発明の実施形態について詳しく説明する。図１は、本実施形態に係るロータリー式電気かみそり１の例を示す概略図（斜視図）である。また、図２は、ヘッド部３の例を示す概略図（分解斜視図）である。また、図３は、ロータリー式電気かみそり１の内刃４２の例を示す概略図（斜視図）であり、図４は、内刃４２（特に、小刃４２Ａ）および外刃２２の一部（断面）を示す概略図である。なお、実施形態を説明するための全図において、同一の機能を有する部材には同一の符号を付し、その繰り返しの説明は省略する場合がある。
【００１２】
本実施形態に係るロータリー式電気かみそり１は、図１、図２に示すように、複数の髭進入口２７が貫通形成された外刃２２と、当該外刃２２の下面に摺接しつつ回転する内刃４２とを有し、髭進入口２７に進入した髭を外刃２２と内刃４２とでカットするロータリー式電気かみそりである。なお、外刃２２と内刃４２とを備えて構成される刃ユニット６を三組有するロータリー式電気かみそりを例に挙げて説明するが、これに限定されるものではなく、一組あるいは他の複数組であってもよい。
【００１３】
図１において、符号２は本体部であり、略円柱状のケース１０を備えている。このケース１０の内部には、内刃４２を回転駆動するモータ、モータに電力を供給する電池、回転駆動等の制御を行う制御部（いずれも不図示）が収容されている。ケース１０の前面には電源のオン・オフ等を行うスイッチボタン１２が設けられ、このスイッチボタンの下方には電池の充電残量等を示すＬＥＤランプからなる表示部１４が設けられている。
【００１４】
図２に示すように、ヘッド部３は、本体部２のケース１０の上部に連結されて保持されるヘッドケース５２と、このヘッドケース５２に上方から被される刃枠５４と、ヘッドケース５２の内底部に収容された駆動機構（不図示）と、刃枠５４に僅かに上下動可能かつ揺動可能に保持された三組の刃ユニット６とを備えている。ここで、各刃ユニット６は、略円盤状の外刃２２と、この外刃２２の下面（内面）に摺接しながら回転する内刃４２とを備えている。また、三組の刃ユニット６は平面視で、三角形となるように配設されている。なお、本実施形態は、前述の通り、刃ユニット６を三組備える場合の例であるが、刃ユニットが三組以外の場合においても基本的な構成は同様に考えればよい。
【００１５】
ここで、外刃２２において、髭進入口となる複数の孔２７が軸方向（すなわち内刃の回転軸の軸方向と同方向）に貫通して形成されており、この髭進入口２７に入った髭を内刃４２がカットする構成となっている。すなわち、外刃２２は、上面２２ａが使用者の肌に接する髭剃り面となり、髭進入口２７が上面２２ａに開口する構成となる。一例として、上面２２ａは環状の平面すなわち環状髭剃り面として形成されている。また、外刃２２は周縁が下方に折曲された形状を有しており、この周縁には外刃リング２４が嵌め合わされている。なお、この外刃リング２４の内周にはストッパリング２６が嵌め込まれて、外刃２２を外刃リング２４に固定している。
【００１６】
一方、内刃４２は、内刃保持台４４に固定され、この内刃保持台４４の下部にモータの出力軸と接続される内刃駆動軸（不図示）の上端が嵌合される凹部が形成されている。この内刃４２は外刃リング２４に嵌め込まれた内刃受け４６により外刃２２側に揺動可能に保持され、これらにより三組の独立した刃ユニット６が形成される。
【００１７】
図３に示すように、本実施形態に係る内刃４２は、金属板の一部を板面４２Ｂに対して起立させた複数の小刃４２Ａを備えて構成される（図の簡素化のため、一部の小刃のみに符号を記入している）。一例として、内刃４２はステンレス鋼からなる金属板を用いて、プレス加工による型抜きおよび折曲を行って、一体構造として形成される。
【００１８】
以上の構成を備えて、刃ユニット６が組み立てられることによって、外刃２２の下面２２ｂに、内刃４２の小刃４２Ａが当接する状態となる（図４参照）。この状態で、内刃４２を矢印方向に回転駆動することによって、髭進入口２７に入った髭Ｘを内刃４２（小刃４２Ａ）の刃先でカットすることができる。
【００１９】
次に、本実施形態に特徴的な外刃２２の構成について、図面を用いて詳しく説明する。
ここで、図５は外刃２２の平面図であり、図６は図５の部分拡大図（Ａ部）である。また、図７は外刃２２の斜視図であり、図８は図６の部分拡大図（Ｂ部）である。また、図９は外刃２２の正面断面図である。
【００２０】
本実施例においては、図５〜図９に示すように、外刃２２の上面となる二つ（二重）の環状髭剃り面２２Ａ、２２Ｂが中心軸２０に対して同心に形成され、それらの間（径方向における中間位置）に環状凹溝２２Ｃが形成されている。一例として、図９に示すように、環状髭剃り面２２Ａと２２Ｂとが中心軸２０に沿って同じ高さとなるように構成している。ただし、この構成に限定されるものではなく、内側の環状髭剃り面２２Ｂが外側の環状髭剃り面２２Ａよりも中心軸２０に沿って高さが高くなるように構成してもよい。
【００２１】
ここで、外刃２２は、ステンレス鋼からなる金属板を用いて、プレス加工による型抜きおよび折曲を行って、一体構造として形成される。ただし、これに限定されるものではなく、環状髭剃り面２２Ａ、２２Ｂが別体に形成されて固定される構成、あるいは、別体に形成されて相互に軸方向に移動可能に連結される構成等、様々な構成を採用し得る。なお、環状髭剃り面に関しても、二つ（二重）に限定されるものではなく一つ（一重）あるいは三つ（三重）以上有する構成としてもよい。
【００２２】
また、環状髭剃り面２２Ａ、２２Ｂには、複数の髭進入口が形成されている。本実施例においては、当該髭進入口として、平面視長孔状の髭進入口２７および平面視丸孔状の髭進入口２８を備えている。ここで、「丸孔状」とは、真円形には限定されず、楕円形、長円形（「長孔状」にも該当する場合がある）等の他の円形も含まれる趣旨である。なお、複数の髭進入口として、長孔状の髭進入口２７のみを有する構成としてもよい。
【００２３】
ここで、長孔状の髭進入口２７に関して、髭進入口の開口部全体を大きく形成すれば、当然、髭が進入し易くなるため、長い髭、くせ髭等、様々なタイプの髭を捕らえる性能を向上させることができる。しかし、その場合、髭進入口の無い平面領域である「ブランク部」（通称「ベタ部」ともいう）２９の面積が減少してしまうため、肌に追従して円滑に移動できなくなると共に肌触りが悪くなり、且つ、肌への押し付け力が小さくても深剃りとなって肌を痛めてしまう可能性が高くなるという相反する課題があった。
【００２４】
この課題に対して、本実施例に係る外刃２２は、環状髭剃り面２２Ａ、２２Ｂの径方向に沿った長孔状であって、且つ、径方向の両端部２７ａ、２７ｂのみ、もしくは一端部２７ａ（あるいは２７ｂ）のみに、中央部２７ｃよりも周方向に広く開口形成された幅広部（図中、２７ｘ、２７ｙとして例示）を有する髭進入口２７（図中、２７Ａ〜２７Ｄとして例示）を備えて、その解決を可能としている。以下、実施例を挙げて説明する。
【００２５】
（第１実施例）
先ず、上記髭進入口２７の第１実施例である髭進入口２７Ａは、最外周となる環状髭剃り面２２Ａの上面２２ａから、外側面２２ｃおよび内側面２２ｄの両側面にかけて径方向に沿って長孔状に開口形成されており、当該髭進入口２７Ａの両端部２７ａ、２７ｂに幅広部２７ｘ、２７ｙをそれぞれ有している（図５〜図８参照）。なお、幅広部２７ｘ、２７ｙは、いずれも、各髭進入口２７Ａに個別に形成される構成である（すなわち、隣接する髭進入口２７Ａに亘って幅広部が合体して一つの共通開口部となるように形成される構成ではない）。
【００２６】
より詳しくは、最外周となる環状髭剃り面２２Ａに形成される髭進入口２７Ａにおいて、環状髭剃り面２２Ａの上面２２ａから外側面２２ｃに亘って形成された幅広部２７ｘを備えている。さらに、環状髭剃り面２２Ａの上面２２ａから内側面２２ｄに亘って形成された幅広部２７ｙを備えている（なお、変形例として、幅広部２７ｙを設けない構成としてもよい）。
【００２７】
上記の構成によれば、髭進入口２７Ａに形成された幅広部２７ｘ、２７ｙ、特に、上面２２ａから外側面２２ｃに亘って形成された幅広部２７ｘによって、髭が孔内（髭進入口内）に導入され易くなるため、長い髭、くせ髭等、様々なタイプの髭を捕らえる性能を向上させることができる。同時に、開口部全体を大きく形成した場合と比較して上面２２ａにおけるブランク部２９の面積を広く確保できるため、肌触りが悪くなるという課題や、深剃りとなって肌を痛めてしまうという課題に対しても、その解決を図ることができる。
【００２８】
このとき、幅広部２７ｘは、外刃２２の上面２２ａにおける平面視形状が、径方向の中央部２７ｃから端部２７ａ方向へ向かうにつれて周方向の開口幅が徐々に広くなるように形成されている。また、幅広部２７ｙに関しても、端部２７ｂに向かって同様の形状としてもよく、異なる形状としてもよい。
【００２９】
これによれば、環状髭剃り面２２Ａのエッジ部（上面２２ａと外側面２２ｃとの境界部分）における開口幅が広くなるため、より一層、髭を捉える性能を高めることが可能となる。また、開口幅を徐々に変化させることで、肌触りが悪くならないようにする効果も得られる。
【００３０】
なお、幅広部２７ｘの変形例として、外刃２２の上面２２ａから外側面２２ｃに亘って形成せずに、外側面２２ｃのみにおいて形成する構成としてもよい。また、幅広部２７ｙに関しても、内側面２２ｄにおいて同様の形状としてもよく、異なる形状としてもよい。
【００３１】
この変形例によれば、髭を捉える性能向上を図りつつ、特に、肌触りの悪化を防止すると共に、深剃りを防止するという観点において、より大きな効果が得られる。
【００３２】
なお、本実施例において、長孔状の髭進入口２７の形状は特に限定されるものではない。例えば、長辺部が直線状、または、長辺部の全体もしくは一部が曲線状、等のように様々な形状を採用することができる。
【００３３】
一例として、本実施例に係る長孔状の髭進入口２７は、図５〜図８に示すように、長辺部の一部（ここでは、長手方向の中間部）が曲線状となるように形成されている。このように、長辺部の一部（もしくは全体）が曲線状となる部分を有する構成によって、特に、長い髭や、くせ髭が当該曲線状の部分に引っ掛かり易くなって孔内（髭進入口内）に導入され易くなるため、それらの髭を捕らえる性能が一段と向上する効果が得られる。なお、本実施例においては、外刃２２をせん断プレス加工によって形成することによって、上記のような複雑な形状の髭進入口の形成を可能としている。ただし、その他の形成方法として、エッチング、ＥＣＭ等も採用し得る。
【００３４】
なお、図５〜図８に示すように、環状髭剃り面（一例として２２Ａ）において、髭進入口２７Ａと後述する髭進入口２７Ｂ（あるいは髭進入口２７Ｃ）とを適宜、組み合わせる（例えば、交互に併設する）構成としてもよい。これによれば、髭を捉える性能の向上と、肌触りの良さの向上とを、バランスよく調整することが可能となる。
【００３５】
また、適宜、丸孔状の髭進入口２８を併設する構成としてもよい。これによれば、長孔状の髭進入口２７によって奏される髭を捕らえる性能を大きく落とすことなく、ブランク部の面積を増加させることができるため、より一層、肌への追従性および肌触りを向上させることができると共に、深剃りの防止を図ることができる。
【００３６】
（第２実施例）
次に、上記髭進入口２７の第２実施例である髭進入口２７Ｂは、最外周となる環状髭剃り面２２Ａの上面２２ａから外側面２２ｃにかけて径方向に沿って長孔状に開口形成されており、当該髭進入口２７Ｂの一端部２７ａに幅広部２７ｘを有している（図５〜図８参照）。
なお、本実施例は、基本的な構成および作用効果は前述の第１実施例と同様であるため、相違点を中心に説明を行う。
【００３７】
本実施例は、最外周となる環状髭剃り面２２Ａに形成される髭進入口２７Ａにおいて、当該最外周の環状髭剃り面２２Ａの上面２２ａから外側面２２ｃに亘って形成された幅広部２７ｘを備える構成である。
【００３８】
一方、髭進入口２７Ｂの他端部２７ｂは、内側面２２ｄまでは到達せず、上面２２ａ上に形成される構成である。当該他端部２７ｂには後述の第３実施例に係る髭進入口２７Ｃの幅広部２７ｙと同様の幅広部を設ける構成としてもよく、あるいは、幅広部を設けない構成としてもよい。
【００３９】
本実施例に係る構成によれば、第１実施例の構成と比較して、上面２２ａにおけるブランク部２９の面積をより広く確保できるため、特に、肌触りの悪化を防止すると共に、深剃りを防止するという観点において、より大きな効果が得られる。
【００４０】
なお、図示しないが、内周となる環状髭剃り面２２Ｂにおいても、本実施例に係る髭進入口２７Ｂと同様の髭進入口を設けてもよい。
【００４１】
（第３実施例）
次に、上記髭進入口２７の第３実施例である髭進入口２７Ｃは、その両端部２７ａ、２７ｂに幅広部２７ｘ、２７ｙをそれぞれ有している（図５〜図８参照）。
なお、本実施例は、基本的な構成および作用効果は前述の第１実施例と同様であるため、相違点を中心に説明を行う。
【００４２】
本実施例では、内周の環状髭剃り面２２Ｂに設けられる髭進入口２７Ｃが、刃２２の上面２２ａから外側面２２ｃに亘って形成されずに、上面２２ａのみにおいて形成されている。したがって、幅広部２７ｘが、外刃２２の上面２２ａから外側面２２ｃに亘って形成されずに、上面２２ａのみにおいて形成されている。また、幅広部２７ｙが、外刃２２の上面２２ａから内側面２２ｄに亘って形成されずに、上面２２ａのみにおいて形成されている（なお、変形例として、幅広部２７ｘ、２７ｙは、いずれか一方のみを設ける構成としてもよい）。
【００４３】
この構成によれば、第２実施例の構成と比較して、さらに、上面２２ａにおけるブランク部２９の面積をより広く確保できるため、肌触りの悪化を防止すると共に、深剃りを防止するという観点において、より一層、大きな効果が得られる。
【００４４】
なお、図示しないが、外周となる環状髭剃り面２２Ａにおいても、本実施例に係る髭進入口２７Ｃと同様の髭進入口を設けてもよい。
【００４５】
（第４実施例）
次に、上記髭進入口２７の第４実施例である髭進入口２７Ｄは、その両端部２７ａ、２７ｂに幅広部２７ｘ、２７ｙをそれぞれ有している（図５〜図８参照）。
なお、本実施例は、基本的な構成および作用効果は前述の第１実施例と同様であるため、相違点を中心に説明を行う。
【００４６】
本実施例は、第１実施例に係る髭進入口２７Ａと同様の幅広部２７ｘ、２７ｙを有する髭進入口２７Ｄを内周の環状髭剃り面２２Ｂに設ける構成である。
【００４７】
この構成によれば、特に、環状髭剃り面２２Ｂが最内周の環状髭剃り面となる場合において、幅広部２７ｘ、２７ｙ、特に、上面２２ａから内側面２２ｄに亘って形成された幅広部２７ｙによって、髭が孔内（髭進入口内）に導入され易くなるため、長い髭、くせ髭等、様々なタイプの髭を捕らえる性能を向上させることができる。
【００４８】
なお、変形例として、幅広部２７ｘ、２７ｙは、いずれか一方のみを設ける構成としてもよい。
【００４９】
以上、説明した通り、本発明に係るロータリー式電気かみそりによれば、外刃が肌に追従して円滑に移動できると共に、髭を捕らえる性能を向上させることができ、且つ、深剃りとなって皮膚を傷めてしまうことが防止できる。このように、相反する課題の解決が可能となる。
【００５０】
なお、本発明は、以上説明した実施例に限定されることなく、本発明を逸脱しない範囲において種々変更が可能である。特に、外刃と内刃との組合せ（刃ユニット）の数、環状髭剃り面の数、等は上記に限定されるものではない。
【符号の説明】
【００５１】
１  ロータリー式電気かみそり
２  本体部
３  ヘッド部
６  刃ユニット
１０  ケース
１２  スイッチボタン
２２  外刃
２２ａ  外刃の上面
２２ｂ  外刃の下面
２２Ａ、２２Ｂ  環状髭剃り面
２４  外刃リング
２６  ストッパリング
２７  髭進入口（長孔状）
２７ａ、２７ｂ  長孔状の髭進入口の端部
２７ｃ  長孔状の髭進入口の中央部
２７ｘ、２７ｙ  幅広部
２８  髭進入口（丸孔状）
２９  ブランク部
４２  内刃
４２Ａ  小刃
４２Ｂ  金属板の板面
４４  内刃保持台
４６  内刃受け
５２  ヘッドケース
５４  刃枠
Ｘ  髭
【図１】
2016067589.tif 000003
【図２】
2016067589.tif 000004
【図３】
2016067589.tif 000005
【図４】
2016067589.tif 000006
【図５】
2016067589.tif 000007
【図６】
2016067589.tif 000008
【図７】
2016067589.tif 000009
【図８】
2016067589.tif 000010
【図９】
2016067589.tif 000011